(57)【要約】本発明は、垂直壁用ポット及びこれに使われるマルチフィルタ及びポット支持枠組に関するものである。本発明のポット２０は、内部空間２２が形成されたポット本体２１にカバー３０が設置される。上記ポット本体２１には、本体フィルタ孔２８が多数個穿孔されている。上記内部空間２２には、植物ｐが植えられる土壌ｓが備えられる。上記カバー３０には、上記土壌ｓに植えられた植物ｐが外部に突出する植生孔３８が多数個形成されており、上記植生孔３８の間には上記本体フィルタ孔２８と対応する位置にカバーフィルタ孔４０が形成される。上記本体フィルタ孔２８、カバーフィルタ孔４０、そして土壌ｓを貫通してマルチフィルタ５０が設置される。上記マルチフィルタ５０は、支持筒体５２が外観を形成し、内部にフィルタリングケース６０が設置される。上記フィルタリングケース６０には、第１フィルタリング部６６と微生物フィルタリング部６８とが備えられる。上記支持筒体５２を囲むように微生物シート５９がさらに備えられる。【選択図】図２
2013544096.tif 000002
【特許請求の範囲】
【請求項１】
第１及び第２連結バーが所定の角度で連結されて土壌が位置する内部空間が形成され、一面に多数個の本体フィルタ孔が形成されたポット本体と、
前記ポット本体の内部空間を遮蔽するものとして第１及び第２連結バーが所定の角度で連結されて構成され、前記本体フィルタ孔と対応する位置にカバーフィルタ孔が形成され、前記カバーフィルタ孔の間に植物が通過する植生孔が形成されるカバーと、
前記内部空間に詰められた土壌と前記ポット本体の本体フィルタ孔、そして前記カバーのカバーフィルタ孔を貫通して設置されて吸入された室内空気を浄化して通過させるマルチフィルタと、
を含むことを特徴とする、垂直壁用ポット。
【請求項２】
前記マルチフィルタは、前記ポット本体の内部空間にある土壌内に設置されるものであって、第１筒体バーと第２筒体バーとが互いに所定の角度を有するように連結されて、両端が開放された筒形状に作られた支持筒体と、
前記支持筒体の内部に設置されるものであって、第１ケースバーと第２ケースバーとが互いに所定の角度を有するように連結されて両端が開放された筒形状に作られ、内部に第１フィルタリング部が備えられるフィルタリングケースと、
を含むことを特徴とする、請求項１に記載の垂直壁用ポット。
【請求項３】
前記支持筒体の外面には放射方向に延びて前記内部空間に位置した土壌内にあるようになる分散バーがさらに備えられることを特徴とする、請求項２に記載の垂直壁用ポット。
【請求項４】
前記フィルタリングケースの内の空気流動経路には、前記第１フィルタリング部より裏側に微生物フィルタリング部が備えられることを特徴とする、請求項３に記載の垂直壁用ポット。
【請求項５】
前記フィルタリングケースの内部には空気が流動する方向に直交するように多数個の分散羽が空気流動方向に列をなして設置されることを特徴とする、請求項４に記載の垂直壁用ポット。
【請求項６】
前記支持筒体を囲むように基材に微生物が含まれた微生物シートが備えられることを特徴とする、請求項１乃至５のうち、いずれか１項に記載の垂直壁用ポット。
【請求項７】
前記分散羽は、羽軸に一列に配置され、前記羽軸の一端部にある固定レグが前記フィルタリングケースに固定されて設置されることを特徴とする、請求項６に記載の垂直壁用ポット。
【請求項８】
第１筒体バーと第２筒体バーとが互いに所定の角度を有するように連結されて両端が開放された筒形状に作られた支持筒体と、
前記支持筒体の内部に設置されるものであって、第１ケースバーと第２ケースバーとが互いに所定の角度を有するように連結されて両端が開放された筒形状に作られ、内部に第１フィルタリング部が備えられるフィルタリングケースと、
を含むことを特徴とする、マルチフィルタ。
【請求項９】
前記支持筒体の外面には放射方向に延びるように分散バーが多数個備えられることを特徴とする、請求項８に記載のマルチフィルタ。
【請求項１０】
前記支持筒体には支持筒体を囲んで基材に微生物が含まれた微生物シートがさらに備えられることを特徴とする、請求項８または９に記載のマルチフィルタ。
【請求項１１】
前記フィルタリングケースの内の空気流動経路には、前記第１フィルタリング部より裏側に微生物フィルタリング部がさらに備えられることを特徴とする、請求項１０に記載のマルチフィルタ。
【請求項１２】
前記フィルタリングケースの内部には空気が流動する方向に直交するように多数個の分散羽が空気流動方向に列をなして設置されることを特徴とする、請求項１１に記載のマルチフィルタ。
【請求項１３】
前記分散羽は円板形状となり、直径が互いに異なるものが交互に配置されることを特徴とする、請求項１２に記載のマルチフィルタ。
【請求項１４】
本体フレームに第１及び第２連結バーが連結されて網形態の壁体を形成し、最も面積の広い一面が開放されて形成される本体と、
前記本体の開放された一面を遮蔽するように前記本体に締結されるものであって、カバーフレームに第１及び第２連結バーが連結されて網形態の壁体を形成して構成されるカバーと、
前記本体とカバーとの互いに対応する位置に各々形成されて重なって結合される本体固定具及びカバー固定具と、を含み、
前記カバーには縁部を第１リングが形成する多数個の植生孔が備えられて前記本体の内部に備えられた植生土に植栽された植物が外部に突出するようにすることを特徴とする、垂直壁用ポット。
【請求項１５】
前記本体は、平たい六面体形状に垂直壁に設置される時、上部に向ける面に内部の植生土に水を供給する潅水孔がさらに形成されることを特徴とする、請求項１４に記載の垂直壁用ポット。
【請求項１６】
前記植生孔のうちの一部は、前記第１リングより大径の第２リングが連結バーにより連結されて構成され、前記連結バーを切断して前記第１リングを除去することにより第１リングにより形成される植生孔より相対的に大径の植生孔を作ることができることを特徴とする、請求項１５に記載の垂直壁用ポット。
【請求項１７】
前記本体固定具とカバー固定具は、前記本体とカバーの両端に各々備えられるが、本体とカバーの両端に各々備えられる本体固定具とカバー固定具の高さが互いに異になって、隣接する本体固定具及びカバー固定具と結合時に、１つのねじにより締結されることを特徴とする、請求項１４乃至１６のうち、いずれか１項に記載の垂直壁用ポット。
【請求項１８】
前記本体固定具とカバー固定具は、各々本体とカバーに一体に形成された延長片と、前記延長片に直交するように突出し、ポット支持枠組に結合される結合片とから構成されることを特徴とする、請求項１７に記載の垂直壁用ポット。
【請求項１９】
前記ねじは、互いに隣接するポットの本体固定具とカバー固定具を同時に貫通してポット支持枠組に締結されるが、両側のポットに掛止される掛止板が両端に備えられ、両端の前記掛止板を連結し、前記ねじが貫通する締結部が備えられた締結ブラケットが前記ねじにより同時に締結されることを特徴とする、請求項１８に記載の垂直壁用ポット。
【請求項２０】
底板の上端縁部と下端縁部に沿って上側壁と下側壁が形成され、前記底板の両端縁部に沿って前記上側壁と下側壁に各々端部が連結される端部壁が形成されて構成される支持枠組胴体と、
前記支持枠組胴体の底板に鉛直方向に突出するように形成される垂直区画壁により区画されてポットが固定されて安着するポット安着部と、
前記ポット安着部の底面に突出するように形成されて前記ポットの隅を支持して前記ポット安着部の底面とポットとの間に所定の隙間を形成する安着台と、
を含むことを特徴とする、垂直壁用ポット支持枠組。
【請求項２１】
前記ポット安着部には、前記ポットの中間部に該当する位置に沿って隙間リブが形成されるが、前記隙間リブの高さは前記安着台に凹入するように形成された安着面の高さと等しく形成されることを特徴とする、請求項２０に記載の垂直壁用ポット支持枠組。
【請求項２２】
前記隙間リブにはリブ開口部が形成され、前記下側壁には下部開口部が形成されて水が流動するようにすることを特徴とする、請求項２１に記載の垂直壁用ポット支持枠組。
【請求項２３】
前記上側壁と並んで延びるように水平区画壁が前記底板に形成されて前記ポット安着部の上部に水管が位置する水管通過部を形成することを特徴とする、請求項２０乃至２２のうち、いずれか１項に記載の垂直壁用ポット支持枠組。
【請求項２４】
前記水平区画壁には潅水開口部が形成されて、前記水管通過部を通過する管から伝えられた水が前記ポット安着部のポットに伝えられるようにすることを特徴とする、請求項２３に記載の垂直壁用ポット支持枠組。
【請求項２５】
前記水管通過部の両端に該当する前記端部壁には管用開口部が形成されて隣接するポット支持枠組の間で管が延びるようにすることを特徴とする、請求項２４に記載の垂直壁用ポット支持枠組。
【発明の詳細な説明】
【技術分野】
【０００１】
本発明は、垂直壁に植物を育てるためのポット及びこれに使われるマルチフィルタと上記ポットを垂直壁に支持するためのポット支持枠組に関するものである。
【背景技術】
【０００２】
最近、多様な形態の垂直壁を緑化して親環境的に垂直壁を作るための努力がなされている。このような垂直壁の例には、切土または盛土により発生する斜面を地面に対して垂直に作った垂直壁、大型建物の壁面などがある。
【０００３】
斜面を緑化するための工法に多様なものが提示されている。例えば、特許文献１の斜面緑化補強土工法があるが、これは切土や盛土地の斜面を緑化するに当たって、型枠を使用して盛土層を形成し、盛土層の形成後に型枠を前方に移動させて植生土層を型枠と盛土層の先端との間に形成するようになる。
【０００４】
しかしながら、このような方式は上記植生土層の表面が地表面を基準に上方のみに向けるようになっているので、植生土層に育つ植物が地表面に対して上方に育つようになる。したがって、人々が地表面から斜面を見る時、斜面で育つ植物だけでなく、上記型枠の一面もたくさん見えるようになって、緑化の程度が格段に落ちる問題点がある。
【０００５】
そして、上記従来の方式の場合、植生土層を垂直壁に沿って固定させて位置させることが非常に難しいという問題点がある。特に、垂直壁の緑化を遂行した後に雨と風などの影響により植生土が散らばって緑化状態が正しく維持できないという問題点もある。
【０００６】
最近、大型建物の室内にある壁面にも緑化を行い、その植物を用いて室内空気を浄化する植物空気清浄器がたくさん使われている。植物空気清浄器では、建物室内の空間を活用するために、室内の壁体に沿って植物を植えるようになる。このように、壁体に沿って下部から上部に行きながら植物を植えるようになれば、植物空気清浄器が室内空間の水平方向の面積を占めることが最小化される。これに反して、壁体に沿って植物を植栽するようになれば、建物室内でたくさん使われない垂直方向面積が活用できるので、相対的に空間活用に有利である。
【０００７】
しかしながら、このように建物室内の壁体を活用して植物を植栽するためには、重力方向を逆らって植物が植栽されなければならないので、相対的に植物の植栽が難しくなる問題点がある。このような問題点のため、植物を植栽するに当たって建物室内の壁体の下部から上部に行きながら植物が植栽される部分が傾斜するようにしなければならない。
【０００８】
そして、室内の壁体に植物を植栽するためには、植栽のための土壌を入れなければならないが、これら土壌が重力により流れないようにするためには、土壌が最小限傾斜するように配置されなければならず、その傾斜が小さいほど良い。しかしながら、土壌が配置される傾斜があまり小さければ、室内空間を過多に占めるようになって、効率的でない。
【０００９】
また、従来の植物空気清浄器で使われる植物の一部が死んだ場合に、取替が容易でないという問題点がある。特に、高い位置にある植物の一部が死んだ場合には、その位置まで作業者が植物と土壌及び作業工具を持って上がって死んだ植物を引き抜いて新たな植物を植えなければならないので、非常に作業が面倒な問題点がある。
【先行技術文献】
【特許文献】
【００１０】
【特許文献１】大韓民国登録特許第１０−０４１９８８３号
【発明の概要】
【発明が解決しようとする課題】
【００１１】
本発明の目的は、上記のような従来の問題点を解決するためのものであって、垂直壁に設置される植物空気清浄器で使われる植物が植栽されるポットを提供することにある。
【００１２】
本発明の他の目的は、植物空気清浄器で空気浄化を植物が植栽された土壌を空気が通過することによりなされるようにし、特に植物の根で起こる作用を最大に活用できるようにすることにある。
【００１３】
本発明の更に他の目的は、植物空気清浄器で植物の取替がより容易になされるようにすることにある。
【００１４】
本発明の更なる他の目的は、植生土をポットの内部の所定の空間内に位置させて垂直壁に沿って位置させることができるようにし、かつ植物の根は上記植生土に位置し、植物の幹と葉はポットの外部にあるようにすることにある。
【００１５】
本発明の更に他の目的は、垂直壁の緑化のための植生土が内部に備えられるポットを垂直壁に一層易しく、かつ固く固定できるようにするポット支持枠組を提供することにある。
【課題を解決するための手段】
【００１６】
上記のような目的を達成するための本発明による垂直壁用ポットによれば、本発明は、第１及び第２連結バーが所定の角度で連結されて土壌が位置する内部空間が形成され、一面に多数個の本体フィルタ孔が形成されたポット本体と、上記ポット本体の内部空間を遮蔽するものとして第１及び第２連結バーが所定の角度で連結されて構成され、上記本体フィルタ孔と対応する位置にカバーフィルタ孔が形成され、上記カバーフィルタ孔の間に植物が通過する植生孔が形成されるカバーと、上記内部空間に詰められた土壌と上記ポット本体の本体フィルタ孔、そして上記カバーのカバーフィルタ孔を貫通して設置されて吸入された室内空気を浄化して通過させるマルチフィルタを含む。
【００１７】
上記マルチフィルタは、上記ポット本体の内部空間にある土壌内に設置されるものであって、第１筒体バーと第２筒体バーとが互いに所定の角度を有するように連結されて、両端が開放された筒形状に作られた支持筒体と、上記支持筒体の内部に設置されるものであって、第１ケースバーと第２ケースバーとが互いに所定の角度を有するように連結されて両端が開放された筒形状に作られ、内部に第１フィルタリング部が備えられるフィルタリングケースを含む。
【００１８】
上記支持筒体の外面には放射方向に延びて上記内部空間に位置した土壌内にあるようになる分散バーがさらに備えられる。
【００１９】
上記フィルタリングケースの内の空気流動経路には、上記第１フィルタリング部より裏側に微生物フィルタリング部が備えられる。
【００２０】
上記フィルタリングケースの内部には空気が流動する方向に直交するように多数個の分散羽が空気流動方向に列をなして設置される。
【００２１】
上記支持筒体を囲むように基材に微生物が含まれた微生物シートが備えられる。
【００２２】
上記分散羽は、羽軸に一列に配置され、上記羽軸の一端部にある固定レグが上記フィルタリングケースに固定されて設置される。
【００２３】
本発明によるマルチフィルタによれば、本発明は、第１筒体バーと第２筒体バーとが互いに所定の角度を有するように連結されて両端が開放された筒形状に作られた支持筒体と、上記支持筒体の内部に設置されるものであって、第１ケースバーと第２ケースバーとが互いに所定の角度を有するように連結されて両端が開放された筒形状に作られ、内部に第１フィルタリング部が備えられるフィルタリングケースを含む。
【００２４】
上記支持筒体の外面には放射方向に延びるように分散バーが多数個備えられる。
【００２５】
上記支持筒体には支持筒体を囲んで基材に微生物が含まれた微生物シートがさらに備えられる。
【００２６】
上記フィルタリングケースの内の空気流動経路には、上記第１フィルタリング部より裏側に微生物フィルタリング部がさらに備えられる。
【００２７】
上記フィルタリングケースの内部には空気が流動する方向に直交するように多数個の分散羽が空気流動方向に列をなして設置される。
【００２８】
上記分散羽は、円板形状となり、直径が互いに異なるものが交互に配置される。
【００２９】
本発明による垂直壁用ポットによれば、本発明は、本体フレームに第１及び第２連結バーが連結されて網形態の壁体を形成し、最も面積の広い一面が開放されて形成される本体と、上記本体の開放された一面を遮蔽するように上記本体に締結されるものであって、カバーフレームに第１及び第２連結バーが連結されて網形態の壁体を形成して構成されるカバーと、上記本体とカバーとの互いに対応する位置に各々形成されて重なって結合される本体固定具及びカバー固定具を含み、上記カバーには縁部を第１リングが形成する多数個の植生孔が備えられて上記本体の内部に備えられた植生土に植栽された植物が外部に突出するようにする。
【００３０】
上記本体は、平たい六面体形状に垂直壁に設置される時、上部に向ける面に内部の植生土に水を供給する潅水孔がさらに形成される。
【００３１】
上記植生孔のうちの一部は、上記第１リングより大径の第２リングが連結バーにより連結されて構成され、上記連結バーを切断して上記第１リングを除去することにより第１リングにより形成される植生孔より相対的に大径の植生孔を作ることができる。
【００３２】
上記本体固定具とカバー固定具は、上記本体とカバーの両端に各々備えられるが、本体とカバーの両端に各々備えられる本体固定具とカバー固定具の高さが互いに異になって、隣接する本体固定具及びカバー固定具と結合時に、１つのねじにより締結される。
【００３３】
上記本体固定具とカバー固定具は、各々本体とカバーに一体に形成された延長片と上記延長片に直交するように突出し、ポット支持枠組に結合される結合片から構成される。
【００３４】
上記ねじは、互いに隣接するポットの本体固定具とカバー固定具を同時に貫通してポット支持枠組に締結されるが、両側のポットに掛止される掛止板が両端に備えられ、両端の上記掛止板を連結し、上記ねじが貫通する締結部が備えられた締結ブラケットが上記ねじにより同時に締結される。
【００３５】
本発明によるポット支持枠組によれば、本発明は、底板の上端縁部と下端縁部に沿って上側壁と下側壁が形成され、上記底板の両端縁部に沿って上記上側壁と下側壁に各々端部が連結される端部壁が形成されて構成される支持枠組胴体と、上記支持枠組胴体の底板に鉛直方向に突出するように形成される垂直区画壁により区画されてポットが固定されて安着されるポット安着部と、上記ポット安着部の底面に突出するように形成されて上記ポットの隅を支持して上記ポット安着部の底面とポットとの間に所定の隙間を形成する安着台を含む。
【００３６】
上記ポット安着部には、上記ポットの中間部に該当する位置に沿って隙間リブが形成されるが、上記隙間リブの高さは上記安着台に凹入するように形成された安着面の高さと等しく形成される。
【００３７】
上記隙間リブにはリブ開口部が形成され、上記下側壁には下部開口部が形成されて水が流動するようにする。
【００３８】
上記上側壁と並んで延びるように水平区画壁が上記底板に形成されて上記ポット安着部の上部に水管が位置する水管通過部を形成する。
【００３９】
上記水平区画壁には潅水開口部が形成されて、上記水管通過部を通過する管から伝えられた水が上記ポット安着部のポットに伝えられるようにする。
【００４０】
上記水管通過部の両端に該当する上記端部壁には管用開口部が形成されて隣接するポット支持枠組の間で管が延びるようにする。
【発明の効果】
【００４１】
本発明による垂直壁用ポット及びこれに使われるマルチフィルタ及びポット支持枠組では、次のような効果を得ることができる。
【００４２】
まず、本発明のポットは内部に土壌が位置する所定の空間が備えられて植物の根部分に位置し、植物はポットの外部に突出しているので、多数個のポットを配置すれば植物空気清浄器を容易に構成できるようになり、メインテナンスも容易になされる効果がある。
【００４３】
本発明のポットは、植物が育つ土壌層と空気が循環する空気移動経路とを分離して、室内の空気を浄化するに当たって、植物が植栽された土壌と空気が接触する面積が極大化されるので、植物の根の作用を活用した空気浄化がよりよくなされる効果を得ることができる。
【００４４】
そして、本発明のポットは、植物が植えられる土壌がポットの内部に位置するので、ポットが垂直に立設できるようになるので、植物空気清浄器の設置に必要な室内底の面積が最小化される効果もある。
【００４５】
本発明のポットに設置されるマルチフィルタには、空気浄化作用をする微生物がある微生物シートが備えられるので、空気浄化がよりよくなされ、必要時にはフィルタ維持筒からフィルタ部を分離して取り替えることができるので、空気浄化効果を極大化させることができる効果がある。
【００４６】
本発明のポットは、本体とカバーの各々の本体フレームとカバーフレームに連結された第１連結バーと第２連結バーが各々互いに所定の角度で合うように連結されて壁体を構成するので、ポットの内部に植生土を効果的に位置させながらも通気性及び排水性が良くなり、所定サイズの植生孔をカバーに形成して植物がポットの外部に出るようにしたので、ポットの内部の植生土を使用して植物を効果的にポットで生育できるようにすることができる。
【００４７】
本発明では、植生孔を形成するリングを分離可能にしたので、植物のサイズによって植生孔のサイズを多様にすることができるので、多様な植物をポットで生育させることができるようになる効果もある。
【００４８】
本発明では、本体とカバーをウルトラヴァイオレットポリエチレンで作ったので、紫外線に対する耐久性が良く、柔軟性に優れて、ポット支持枠組に固定する作業が容易であり、多様な色相の演出が可能であり、養液に対する耐化学性に優れるようになる効果がある。
【００４９】
そして、本発明のポット支持枠組は、その内部に多数個のポットを固定して垂直壁に設置されるものであって、垂直壁に設置された取付レールに沿って多数個が順次に設置されて垂直壁にポットを固定させることができるようにする。したがって、本考案ではポット支持枠組の内部のポットを部分的に取り替えるか、ポット支持枠組を取り替えることにより全体垂直壁で必要な部分のみを取り替えることができるようにする。したがって、垂直壁の緑化状態をより容易にメインテナンスできるようになる効果がある。
【００５０】
本発明のポット支持枠組は、内部に多数個の鉛直仕切りを設けてポット間を区画するので、防根と防水作用があるので、ポットの間で植物の根が互いに影響を及ぼさないようになって、植物間の競合が発生しなくなるので、緑化がより効率的に遂行される効果がある。
【００５１】
そして、本発明のポット支持枠組は、建物の垂直壁に設置されてポットと垂直壁との間の相互作用がないようにするので、垂直壁が形成された建物や構造体にはポットの植物またはポットの水分が影響を及ぼさないようになって、建物や構造体の耐久性を高めることができる。
【００５２】
また、本発明のポット支持枠組にはポット固定突起があるので、ねじを使用して装飾品などの固定が可能であり、また水管通過部に形成された空間を使用して多様な装飾が可能になる効果もある。
【００５３】
そして、本発明のポット支持枠組の内面にはポットとポット支持枠組との間に所定の空間が形成されるようにして、排水性及び断熱効果を十分に高めたので、ポットの植物がよりよく生育できるようになる効果がある。
【００５４】
そして、垂直壁が建物の壁面の場合には、本発明のポット支持枠組が建物壁体で一種の断熱材の役割をするようになって、建物の断熱効果を高めるようになる効果を得ることができる。
【００５５】
また、都心の建物の壁面にポット支持枠組を使用して緑化を行うようになれば、都心地の熱島効果を減らすことができる効果を期待することができる。
【図面の簡単な説明】
【００５６】
【図１】植物空気清浄器の概略的な構成を示す概略図である。
【図２】本発明の実施形態を構成するポットの要部を示す分解斜視図である。
【図３】図３の（ａ）及び（ｂ）は各々図示された実施形態と変形例のポットのカバーの構成を示す正面図である。
【図４】図２に図示されたポットの構成を示す概略側断面図である。
【図５】図２に図示されたポットの外観背面を示す背面図である。
【図６】本発明の実施形態のマルチフィルタの構成を示す分解斜視図である。
【図７】本発明の実施形態のマルチフィルタの内部構成を示す断面図である。
【図８】本発明の実施形態のポットが使われた植物空気清浄器の動作を示す動作状態図である。
【図９】本発明による垂直壁用ポットの他の実施形態の構成を示す斜視図である。
【図１０】図９に図示された実施形態の構成を示す分解斜視図である。
【図１１】図９に図示された実施形態を構成するカバーの要部構成を示す斜視図である。
【図１２】図９に図示された実施形態を構成するポットの構成を示す側面図である。
【図１３】図９に図示された実施形態のポットが互いに連結されることを示す使用状態図である。
【図１４】図９に図示された実施形態のポットがポット支持枠組に設置された状態を示す使用状態図である。
【図１５】図９に図示された実施形態を構成するカバーの他の例の構成を示す斜視図である。
【図１６】図９に図示された実施形態におけるポットをポット支持枠組に結合する他の例を示す使用状態図である。
【図１７】本発明によるポット支持枠組の好ましい実施形態の構成を示す斜視図である。
【図１８】ポット支持枠組の好ましい実施形態の構成を示す正面図である。
【図１９】本発明の実施形態のポット支持枠組を構成する水管通過部の構成を詳細に示す詳細斜視図である。
【図２０】本発明の実施形態のポット支持枠組を構成する垂直区画壁と締結孔の構成を示す斜視図である。
【図２１】本発明の実施形態のポット支持枠組を構成するポット安着部の構成を示す詳細斜視図である。
【発明を実施するための形態】
【００５７】
以下、本発明による垂直壁用ポット及びこれに使われるマルチフィルタ及びポット支持枠組の好ましい実施形態を添付した図面を参考して詳細に説明する。
【００５８】
まず、図１を参考して本発明のポットが使われる一例である植物空気清浄器の構成を簡単に説明する。
【００５９】
植物空気清浄器には取付壁１が備えられるが、上記取付壁１は建物の底に対して直交するように延びる。勿論、上記取付壁１が建物の底に対して直交しなくて傾斜するように延びることもできる。しかしながら、この場合には植物空気清浄器が相対的に建物の底で占める面積が広くなるので好ましくない。
【００６０】
上記取付壁１の後方には流動路３が形成される。上記流動路３は取付壁１を通過した空気が集められて流動する部分である。したがって、上記取付壁１は以下に説明されるポット２０を設置することができるように構成されると共に、空気が通過できるように貫通孔（図示せず）が形成されることが好ましい。
【００６１】
上記流動路３の内にはファン３′が設置されて室内の空気がポット２０を貫通して流動路３を流動できるようにする。上記流動路３の端部には排出管５が設置されるが、上記排出管５を通じてはポット２０を経ながら浄化された空気が室内空間に排出される。
【００６２】
上記取付壁１の下部には排水部７が設置される。上記排水部７の内部には排水土壌８が詰められており、上記排水土壌８は水抜けの良いものを使用することが好ましい。上記排水土壌８は水抜けが必ず良くなければならないものではなく、植えられた植物Ｐの種類によって異にならなければならない。
【００６３】
上記排水部７に連結されて水貯蔵タンク９が備えられる。上記水貯蔵タンク９は植物空気清浄器で使われる水が臨時に集められる部分である。即ち、上記排水部７を過ぎて来た水が臨時に貯蔵できる。
【００６４】
上記水貯蔵タンク９には、必要時には外部からも水が供給される。上記水貯蔵タンク９の水は給水ポンプ１０により加圧されてポット２０に伝えられる。ポット２０への水供給のために給水管１１が上記水貯蔵タンク９から取付壁１の上部に延びている。上記給水管１１に上記給水ポンプ１０が設置される。
【００６５】
ここで、上記取付壁１に設置されるポット２０の構成を図面を参考して詳細に説明する。上記ポット２０は、一般的に合成樹脂を射出成形して作るものである。上記ポット２０の骨格をポット本体２１が形成するが、これは平たい六面体形状に面積が最も広い面のうちの１つが開放されて内部空間２２が形成されている。上記ポット本体２１は、多数個の第１連結バー２３と第２連結バー２４が連結されて構成される。勿論、ポット本体２１の全体が第１連結バー２３と第２連結バー２４のみで構成されるものではないが、略横方向と縦方向に延びるバーによりポット本体２１が作られる。
【００６６】
上記第１及び第２連結バー２３、２４は、互いに所定の角度で交差するように連結される。本実施形態では、上記第１及び第２連結バー２３、２４が互いに直交するように連結されて上記ポット本体２１の壁体を格子形態に形成する。上記第１及び第２連結バー２３、２４が互いに直交するように連結されながら形成する格子形態を有する四角形は本実施形態で多様なサイズを有する。勿論、全体的に正方形が多いが、矩形も適切に混ざっている。上記第１及び第２連結バー２３、２４で構成される格子形態の壁体がポット本体２１の内部空間２２の内に土壌ｓが維持されるようにしながらも、通気性と潅水性、または排水性（以下、潅水性に統一）を良くする。
【００６７】
上記ポット本体２１の両側面には本体固定具２６が形成される。上記本体固定具２６は以下に説明されるカバー３０との結合のためのものである。即ち、以下に説明されるカバー固定具４２と結合されるものである。上記本体固定具２６の具体的な構成は、便宜上省略する。
【００６８】
上記ポット本体２１の底には多数個の本体フィルタ孔２８が形成される。上記本体フィルタ孔２８は上記ポット本体２１の底を貫通して形成されるものであって、以下に説明されるカバーフィルタ孔４０と対応する位置に形成される。
【００６９】
上記ポット本体２１にはカバー３０が取り付けられて上記内部空間２２を遮蔽する。上記カバー３０は本実施形態で四角形の板状に形成される。上記カバー３０は、上記ポット本体２１の開放された部分の形状に対応する形状に作られるものであるので、上記本体２１の開放された部分の形状が変われば、カバー３０の形状も変わる。
【００７０】
上記カバー３０は、その枠をカバーフレーム３２が形成する。上記カバーフレーム３２は四角形状のものであって、上記ポット本体２１の入口に該当する部分を囲むことができるように構成される。上記カバーフレーム３２に連結されるように多数個の第１及び第２連結バー３４、３６が備えられる。上記第１及び第２連結バー３４、３６は、上記カバーフレーム３２に連結されるように構成されるが、上記第１及び第２連結バー３４、３６同士は互いに所定の角度を有するように連結される。本実施形態では、上記第１及び第２連結バー３４、３６が互いに直交するようになってカバーフレーム３２の内側に形成される壁体が格子形態を有するようにする。ポット本体２１で説明したように、上記カバー３０の第１及び第２連結バー３４、３６も多様な形態の四角形を形成するようにすることができる。
【００７１】
上記カバー３０には多数個の植生孔３８とカバーフィルタ孔４０が形成される。上記植生孔３８とカバーフィルタ孔４０は多様な形態に配列できる。図３の（ｂ）には植生孔３８とカバーフィルタ孔４０が異なる形態に配列されたものが図示されている。参考に、上記カバーフィルタ孔４０が植生孔３８の間に位置するように形成されることが好ましい。
【００７２】
上記カバー３０の両端には各々カバー固定具４２が備えられる。上記カバー固定具４２は、上記本体固定具２６と結合できるように形状と寸法が作られる。即ち、上記カバー３０が上記ポット本体２１に安着して結合されれば、上記カバー固定具４２と本体固定具２６とは互いに重なって一体となる。参考に、上記ポット本体２１とカバー３０との締結のためには、別途の掛止段のような構造を設けることができる。
【００７３】
上記ポット２０の内部、即ち内部空間２２には土壌ｓが詰められる。上記土壌ｓには植物Ｐが植えられる。上記植物Ｐは、上記土壌ｓに植えられた状態で上記植生孔３８を通じて外部に抜け出してあるようになる。
【００７４】
一方、上記ポット２０で、上記本体フィルタ孔２８とカバーフィルタ孔４０、そして内部空間２２の土壌ｓを貫通してはマルチフィルタ５０が設置される。上記マルチフィルタ５０の構成は、図６に図示されている。マルチフィルタ５０の最外側を支持筒体５２が形成する。上記支持筒体５２は、本実施形態で両端に開放された円筒形状となっている。しかしながら、上記支持筒体５２は多様な形態の両端に開放された筒形状となることができる。
【００７５】
上記支持筒体５２は、第１筒体バー５４と第２筒体バー５６とが互いに交差して格子形態を有するように形成される。上記第１筒体バー５４と第２筒体バー５６は、本実施形態で互いに直交するようになっているが、多様な角度で合うように作られることができる。このように、第１及び第２筒体バー５４、５６が連結されて支持筒体５２が作られるようにすることで、支持筒体５２の内外部に空気が通過できるようになる。
【００７６】
上記支持筒体５２の外面には分散バー５８が放射方向に突出して形成される。上記分散バー５８は、上記土壌ｓの内に入って位置する。上記分散バー５８は、土壌ｓとの間に若干の隙間があるようにして、空気が土壌ｓのうちの微生物と互いによく接触できるようにする。上記分散バー５８は、上記支持筒体５２の外面全体を囲んで形成される。
【００７７】
上記支持筒体５２を囲むように微生物シート５９が設置できる。上記微生物シート５９は必ず使用しなければならないものではないが、微生物シート５９があることによって空気浄化作用がよりよくなされることができる。上記微生物シート５９は、例えば基材である繊維に空気浄化をする微生物を置いたものである。上記微生物シート５９は、上記支持筒体５２の外面、即ち上記第１筒体バー５４と第２筒体バー５６の外面に密着するように設置されて上記分散バー５８が貫通するようになる。
【００７８】
上記支持筒体５２の内部にはフィルタリングケース６０が位置する。上記フィルタリングケース６０の外径は上記支持筒体５２の内径と等しいか若干小さくなるものが好ましい。上記フィルタリングケース６０は、上記支持筒体５２の内部空間の形状と対応する形状である。即ち、上記フィルタリングケース６０の外面が上記支持筒体５２の内面に密着するように作られる。上記フィルタリングケース６０もその長手方向両端が開放されている。
【００７９】
上記フィルタリングケース６０も第１ケースバー６２と第２ケースバー６４とが互いに交差して格子形態を有するように作られる。上記第１及び第２ケースバー６２、６４も多様な角度で合うようになることができる。このように、第１ケースバー６２と第２ケースバー６４とが互いに交差するようになって、フィルタリングケース６０を作るようになるので、空気がフィルタリングケース６０の内外部によく流動できる。
【００８０】
上記フィルタリングケース６０の入口には第１フィルタ部６６がある。上記第１フィルタ部６６は、空気中の相対的に大きい異質物を濾してくれるものである。例えば、メッシュ網や空気が通過できる布などが使用できる。
【００８１】
上記フィルタリングケース６０の内部後端には微生物フィルタ部６８が設置される。上記微生物フィルタ部６８は上記微生物シート５９と類似するものであって、基材に微生物があるようにして空気が通過しながら微生物により浄化作用がなされるようにするものである。
【００８２】
参考に、上記第１フィルタ部６６と微生物フィルタ部６８の設置位置は、上記フィルタリングケース６０の内ではどこでも関係ないが、空気の流動方向から見ると、設置順序は第１フィルタ部６６が微生物フィルタ部６８より前方にあることが好ましい。
【００８３】
一方、上記フィルタリングケース６０の内部にはフィルタリングケース６０の内部で流動する空気が土壌ｓ側によく伝達できるようにするために、多数個の分散羽７０がある。上記分散羽７０は、上記フィルタリングケース６０の内部で空気が流動する方向に直交する方向に所定の面積を有するように形成される。上記分散羽７０は円板形状のものが好ましい。上記分散羽７０は、空気をフィルタリングケース６０の内面方向に案内して土壌ｓ側に伝えられるようにする役割をする。
【００８４】
このような分散羽７０は、本実施形態で多数個がフィルタリングケース６０の長手方向に延びた羽軸７２に順次に備えられる。図示された実施形態では、上記分散羽７０のサイズが異なるものが交互にあるようになっている。上記分散羽７０の間の間隔は、空気の流動を考慮して設定することが好ましい。上記分散羽７０は、その両端の幅が上記フィルタリングケース６０の内径よりは小さく形成されている。上記分散羽７０は、空気の流動方向に傾斜するように作られることもできる。
【００８５】
上記分散羽７０が備えられた羽軸７２の一端部には連結レグ７４が多数個備えられて、上記フィルタリングケース６０に羽軸７２が固定されるようにする。上記羽軸７２が上記フィルタリングケース６０に連結レグ７４により固定されることは本発明の要旨ではないので、詳細な説明は省略するが、例えば一体に射出成形できる。
【００８６】
次に、図９から図１６を参考して更に他の形態のポットの構成を説明する。本実施形態のポット１００は、前述した植物空気清浄器でも使われることができ、建物外部の垂直壁などの緑化のためにも使われることができる。
【００８７】
本実施形態のポット１００は、合成樹脂材質で射出成形された本体１１０が外観を形成する。上記本体１１０は平たい六面体形状に面積が最も広い面のうちの１つが開放されている。上記本体１１０は、骨格となる本体フレーム１１２に各々多数個の第１連結バー１１４と第２連結バー１１６が連結されている。上記本体フレーム１１２は、本実施形態の場合、本体１１０の各面の縁部に沿って備えられるものであって、本体１１０の上端部に四角形状があり、下端部にも四角形状があり、これら四角形状の隅を連結するようにバー形状がある。
【００８８】
上記第１及び第２連結バー１１４、１１６は、互いに所定の角度で交差するように連結される。本実施形態では、上記第１及び第２連結バー１１４、１１６が互いに直交するように連結されて上記本体１１０の壁体を格子形態に形成する。上記第１及び第２連結バー１１４、１１６が互いに直交するように連結されながら形成する格子形態の四角形は、本実施形態で多様なサイズを有する。勿論、全体的に正方形が多いが、矩形も適切に混ざっている。上記第１及び第２連結バー１１４、１１６で構成される格子形態の壁体が本体１１０の内部に植生土が維持されるようにしながらも、通気性と潅水性、または排水性（以下、潅水性に統一）を良くする。
【００８９】
上記本体１１０の一側面には潅水孔１１８が形成される。上記潅水孔１１８は、上記本体１１０の内部に水を供給するための部分である。上記潅水孔１１８は、上記本体１１０を形成する壁体のうち、最も面積の狭い面に形成されるが、ポット１００が以下に説明されるポット支持枠組２００に取り付けられる時、上部に行くようになる面に形成される。
【００９０】
上記本体１１０の両側面には本体固定具１２０が形成される。上記本体固定具１２０は、上記本体１１０の一側壁体に略板形状に一体形成された延長片１２２と、上記延長片１２２で直交するように突出した結合片１２４で構成される。上記結合片１２４にはねじ１６２の締結のための締結孔（図面符号なし）が形成されている。
【００９１】
上記本体固定具１２０は上記本体１１０の両側面に各々備えられるが、図１２に示すように、上記結合片１２４の位置、より詳しくは、結合片１２４の高さが互いに異なるようになる。即ち、図面を基準に左方の結合片１２４が右方の結合片１２４より高い位置にある。これは、隣接するポット１００を互いに共に結合するためのものである。即ち、上記本体固定具１２０はポット１００が設置されるポット支持枠組２００（図１４参考）に２つのポット１００が同時に設置されて互いに結合されるが、一方のポット１００の左方の結合片１２４と他方のポット１００の右方の結合片１２４とが互いに重なるように置かれて結合される。このようにすることによって、隣接するポット１００を１つのねじ１６２によりポット支持枠組２００に結合できるようになる。
【００９２】
次に、上記本体１１０の開放された部分を遮蔽するカバー１３０が備えられる。上記カバー１３０は、本実施形態で四角形の板状に形成される。上記カバー１３０は、上記本体１１０の開放された部分の形状に対応する形状に作られるものであるので、上記本体１１０の開放された部分の形状が変われば、カバー１３０の形状も変わる。
【００９３】
上記カバー１３０は、その枠をカバーフレーム１３２が形成する。上記カバーフレーム１３２は四角形状からなるものであって、上記本体１１０の開放された部分の縁部を形成する本体フレーム１１２の部分を囲むことができるように構成される。即ち、上記本体フレーム１１２で、本体１１０の開放された部分の縁部を形成する本体フレーム１１２の外面を囲むことができるようにカバーフレーム１３２の内面寸法が形成される。上記カバーフレーム１３２の内面には、上記本体１１０の本体フレーム１１２の上端に掛止される掛止段１３３が突出して形成される。上記掛止段１３３は、その外面が曲面に形成されて上記本体１１０の本体フレーム１１２の外面を円滑に乗り越えて掛止できるようにする。上記掛止段１３３は、上記カバーフレーム１３２の内面に沿って多数個が所定の間隔を置いて配置される。上記掛止段１３３が掛止される上記本体フレーム１１２の部分は他の部分より相対的に外側に突出している。勿論、上記掛止段１３３が掛止される掛止溝が上記本体フレーム１１２の外面に凹入するように形成されることもできる。
【００９４】
一方、上記カバー１３０を本体１１０に締結するために、上記掛止段１３３の代りに、図１５に図示された結合片１３３′を使用することができる。上記結合片１３３′は上記カバー１３０の下面から突出するが、上記カバーフレーム１３２の内面と所定間隔を置いて対向するように形成される。上記カバーフレーム１３２と結合片１３３′との間の間隔は、上記本体１１０の上端に沿って備えられる本体フレーム１１２の厚さと等しくなる。上記結合片１３３′は板状に形成されるものであって、その先端には上記カバーフレーム１３２の内面に向けるように掛止段１３３″が形成される。上記掛止段１３３″は上記本体フレーム１１２の内面で本体フレーム１１２に掛止されて本体１１０にカバー１３０が固く結合されるようにする。
【００９５】
上記カバーフレーム１３２に連結されるように多数個の第１及び第２連結バー１３４、１３６が備えられる。上記第１及び第２連結バー１３４、１３６は、上記カバーフレーム１３２に連結されるように構成されるが、上記第１及び第２連結バー１３４、１３６同士は互いに所定の角度を有するように連結される。本実施形態では、上記第１及び第２連結バー１３４、１３６が互いに直交するようになって、カバーフレーム１３２を形成する壁体が格子形態になるようにする。本体１１０で説明したように、上記カバー１３０の第１及び第２連結バー１３４、１３６も多様な形態の四角形を形成するようにすることができる。
【００９６】
上記カバー１３０には、多数個の第１植生孔１３８及び第２植生孔１４０が形成される。上記第１植生孔１３８及び第２植生孔１４０は、所定の直径を有する第１リング１３９、１４１を備える。そして、上記第２植生孔１４０は上記第１リング１４１より大径の第２リング１４１′を備える。上記第１リング１４１と第２リング１４１′との間は連結バー１４３により互いに連結される。上記連結バー１４３は、上記第１リング１４１の外径面と上記第２リング１４１′の内径面とを互いに連結するようになる。上記連結バー１４３は、少なくとも４個以上が備えられる。ここで、上記第１リング１４１を上記連結バー１４３を分離することにより除去すれば、上記第２植生孔１４０を上記第２リング１４１′が形成するので、その直径が相対的に第１植生孔１３８より大きくなる。
【００９７】
上記カバー１３０の両端には、各々カバー固定具１４６が備えられる。上記カバー固定具１４６は、上記本体１１０の本体固定具１２０と対応する位置に形成される。上記カバー固定具１４６と本体固定具１２０とは互いに結合できるように形状と寸法が作られる。即ち、上記カバー１３０が上記本体１１０に安着して結合されれば、上記カバー固定具１４６と本体固定具１２０とは互いに重なって一体となる。
【００９８】
上記カバー固定具１４６も延長片１４８及び結合片１５０で構成されるが、上記結合片１５０は上記延長片１４８の先端に直交するように延びる。上記カバー１３０で両端の結合片１５０の高さが互いに異なるように形成される。上記カバー固定具１４６の延長片１４８には補強片１４９が形成されるが、上記補強片１４９は上記結合片１５０とも連結される。上記延長片１４８の両端に上記補強片１４９が所定の角度で合うように一体となり、これと同時に上記結合片１５０とも所定の角度で合うように一体となる。
【００９９】
次に、図１７から図２２を参考して上記ポットが設置されるポット支持枠組の好ましい実施形態を詳細に説明する。
【０１００】
本発明の実施形態のポット支持枠組２００は、骨格を支持枠組胴体２１０が形成する。上記支持枠組胴体２１０は合成樹脂材質であって、より詳しくは、バルクモールディングコンパウンド（Ｂｕｌｋ  Ｍｏｌｄｉｎｇ  Ｃｏｍｐｏｕｎｄ）で作られる。このような材質は高強度であり、また耐久性及び耐衝撃性が非常に優れて、多様な色相演出が可能である。そして、上記バルクモールディングコンパウンドは、熱伝導率が低いので断熱効果が優れて、温度による植物への影響がなくなる特徴もある。
【０１０１】
上記支持枠組胴体２１０は底板２１２が板形状に備えられ、上記底板２１２は垂直壁の前面にその背面が設置される。上記支持枠組胴体２１０は上記垂直壁に垂直方向に延びるように設置された、例えば断面が‘Ｈ’字の形鋼のような取付レール（図示せず）に両端が挿入されて固定される。即ち、取付レールが両端に備えられて上記支持枠組胴体２１０の両端が取付レールに各々挿入されて設置され、一対の取付レールに多数個の支持枠組胴体２１０が順次に挿入されて設置される。
【０１０２】
上記底板２１２の縁部に沿って、支持枠組胴体２１０の上端には上側壁２１４が突出して形成され、上記支持枠組胴体２１０の下端には下側壁２１６が突出して形成される。上記下側壁２１６には下部開口部２１６′が多数個形成される。上記下部開口部２１６′は以下に説明される各々のポット安着部２３０に１つずつ形成される。しかしながら、必ずポット安着部２３０の１つに１つの下部開口部２１６′が形成されなければならないものではなく、１つ以上が形成されればよい。
【０１０３】
上記上側壁２１４と下側壁２１６とを連結するように上記底板２１２の両側縁部に沿っては端部壁２１８が各々形成される。上記端部壁２１８と上側壁２１４及び下側壁２１６とが互いに連結される隅部分は曲面に形成されることが好ましい。これは、上記支持枠組胴体２１０の隅が曲面になれば、取付レールの内部に挿入することがより容易であるためである。
【０１０４】
上記上側壁２１４、下側壁２１６、及び両側の端部壁２１８により上記支持枠組胴体２１０の内部には所定の空間が形成される。上記支持枠組胴体２１０の内部に形成される空間には上記上側壁２１４に隣接して並んで備えられる水平区画壁２２０により水管通過部２２２が区画されて形成される。上記水管通過部２２２は、上記上側壁２１４と水平区画壁２２０により上記支持枠組胴体２１０の上端に区画されて形成される。また、上記水管通過部２２２は多数個の管支持リブ２２４により区画される。上記管支持リブ２２４は、上記水管通過部２２２に設置される管を支持する役割をするものである。このために、上記管支持リブ２２４の上端には管安着溝２２６が略半円形状に形成される。
【０１０５】
上記支持枠組胴体２１０には、上記端部壁２１８と並んで形成される多数個の垂直区画壁２２８が突出して形成される。上記垂直区画壁２２８と上記水平区画壁２２０とはその高さが上記上側壁２１４、下側壁２１６、及び端部壁２１８に比べて相対的に低くなる。勿論、上記上側壁２１４、下側壁２１６、及び端部壁２１８は、同一な高さとなる。本実施形態で、上記垂直区画壁２２８は総４個が形成されるが、上記垂直区画壁２２８と端部壁２１８、下側壁２１６、及び上記水平区画壁２２０により、総５個のポット安着部２３０が形成される。上記ポット安着部２３０には、本実施形態で各々２つずつのポット２０、１００が安着する。
【０１０６】
上記ポット安着部２３０は、上記ポット２０、１００のサイズに合うようにその寸法が設計されるが、上記ポット安着部２３０には多数個の安着台２３２が突出して形成される。上記安着台２３２は上記底板２１２から突出しているが、上記ポット２０、１００の４隅に該当する部分に各々突出して形成される。本実施形態では、１つのポット安着部２３０に２つのポット２０、１００が安着するので、総８個の安着台２３２が形成される。しかしながら、本実施形態では隣接した安着台２３２を一体にして総６個の安着台２３２が備えられる。
【０１０７】
上記安着台２３２には各々ポット２０、１００の隅が安着する安着面２３３が凹入するように形成される。上記安着面２３３は、上記ポット安着部２３０の中央側に向ける各々の安着台２３２の２辺を含むように形成される。したがって、上記ポット２０、１００は実際に上記安着面２３３の高さだけ上記底板２１２と間隔を置いて設置される。上記安着面２３３は必ず形成されなければならないものではないが、上記安着面２３３が凹入するように形成されれば、ポット２０、１００が安着面２３３に安着しながらその設置位置が流動せずに固定できるようになる。
【０１０８】
また、上記ポット安着部２３０には各々のポット２０、１００の中間部分に対応するように隙間リブ２３４が突出して形成される。上記隙間リブ２３４は、上記ポット２０、１００のサイズが大きくなければ必ず必要なものではない。しかしながら、上記隙間リブ２３４は、上記ポット２０、１００の腹膨れ現象が発生することを止めて上記ポット２０、１００と底板２１２との間に隙間が一定に維持できるようにする。上記隙間リブ２３４は上記底板２１２から突出して形成されるが、その高さは上記安着台２３２の安着面２３３の高さと同一である。上記隙間リブ２３４の両端部は各々端部壁２１８と垂直区画壁２２８、各々垂直区画壁２２８に連結される。
【０１０９】
また、上記隙間リブ２３４にはリブ開口部２３４′が形成される。上記リブ開口部２３４′は過剰給水が発生した場合に、上記ポット安着部２３０の内部を通じた排水が円滑になることができるようにする。上記リブ開口部２３４′は本実施形態で１つの隙間リブ２３４に２個所ずつ形成されているが、それに限定されるものではなく、１つ以上が形成されればよい。
【０１１０】
上記垂直区画壁２２８には締結ボス２３６が形成される。上記締結ボス２３６は、上記垂直区画壁２２８に一体に形成されるものであって、上記垂直区画壁２２８の両面に突出するように形成され、その長手方向の中心が上記垂直区画壁２２８の中心にあるようになる。上記締結ボス２３６には締結孔２３７が形成される。上記締結孔２３７は、上記ポット２０、１００を上記締結ボス２３６に締結するためのねじ（図示せず）が締結される部分である。
【０１１１】
以下、上記のような構成を有する本発明によるポット及びこれに使われるマルチフィルタとポット支持枠組が使われることを詳細に説明する。
【０１１２】
図８を参考して空気の浄化が起こることを説明する。本発明の実施形態のポット２０、１００は、取付壁１に取り付けられている。勿論、上記取付壁１にポット２０、２００が直接取付されるか、上記ポット支持枠組２００によりポット２０、１００が取付できる。
【０１１３】
上記取付壁１は、上記ポット２０、１００の本体フィルタ孔２８から出た空気が通過できるように少なくとも本体フィルタ孔２８と対応する部分が開放されている。したがって、上記空気ファン３′が動作されれば、室内の空気は上記植物ｐとポット２０を通過して上記流動路３に入る。勿論、上記ポット１００を取付壁１に取り付けた場合には、これを通じては空気が通過する経路がないので、その部分を通じては空気の流動が起こらない。
【０１１４】
上記植物ｐとポット２０を空気が通過する過程で空気の浄化がなされる。これは、上記植物ｐの葉などが行う作用により空気が浄化され、上記ポット２０を通過しながら植物ｐの根及び土壌ｓの微生物、そしてマルチフィルタ５０により浄化がなされる。
【０１１５】
即ち、上記マルチフィルタ５０の内部に空気が入ると、まず上記第１フィルタリング部６６を通過しながら相対的にサイズの大きい異質物が濾される。例えば、髪の毛、ホコリなどがあることがある。
【０１１６】
上記第１フィルタリング部６６を空気が通過したら、上記フィルタリングケース６０と支持筒体５２を通じて上記土壌ｓと空気が接触するようになる。勿論、上記支持筒体５２を覆いかぶせている微生物シート５９の微生物とも空気が接触して空気浄化作用が起こるようになる。
【０１１７】
特に、上記分散羽７０は上記フィルタリングケース６０の内部を流動する空気を上記微生物シート５９と土壌ｓの方に案内して空気浄化作用がより円滑に起こるようにする。
【０１１８】
一方、上記微生物フィルタリング部６８を通過する過程でも微生物により空気浄化作用が起こるようになる。このように浄化がなされた空気は上記流動路３に伝えられて排出管５を通じてまた室内に伝えられる。
【０１１９】
ここで、上記マルチフィルタ５０が上記ポット２０のポット本体２１の内部の土壌ｓに固く固定されることは上記分散バー５８が土壌ｓの内に深く打ち込まれているためである。そして、上記分散バー５８は上記土壌ｓの内の微生物が上記マルチフィルタ５０の方に案内されるようにしたり、空気が上記土壌ｓの内に案内されるようにする役割をする。
【０１２０】
本発明のポット２０を空気が通過しながら浄化がなされることは、次の通り説明できる。即ち、植物による空気浄化は大別して微生物によるものと植物放出物質によるものである。
【０１２１】
まず、微生物による空気浄化は葉と根にある微生物が汚染物質を吸収して除去するによりなされる。ここで、葉に吸収された汚染物質は光合成の代謝産物に用いられ、土壌ｓの内に吸収されたものは根部分の微生物またはマルチフィルタ５０にある微生物により除去される。一方、植物から出る陰イオン、香り、酸素、水分など、多様な植物放出物質は空気を快適にさせて室内環境を改善する。
【０１２２】
一方、図９及び図１０に説明されているポット１００は、前述した植物空気清浄器でも使用できるだけでなく、垂直壁緑化用にも使用できる。本実施形態のポット１００は、本体１１０の内部に植生土を詰めた状態で上記カバー１３０を上記本体１１０に締結して内部の植生土が外部に出ないようにする。上記カバー１３０は、上記掛止段１３３が本体１１０の本体フレーム１１２に掛止され、上記カバー固定具１４６が本体固定具２０と一緒にポット支持枠組に締結されることによりカバー１３０が固く本体１１０に固定される。
【０１２３】
このように、本体１１０にカバー１３０が結合されれば、上記第１及び第２連結バー（１１４、１１６）（１３４、１３６）が形成する網形態の壁体により植生土が外部に排出されないながらも潅水性と通気性を維持できるようになる。
【０１２４】
上記植生土には植物が植栽されるが、上記植物は上記第１及び第２植生孔１３８、１４０を通じて外部に出るようになる。上記第１及び第２植生孔１３８、１４０は、上記第１リング１３９、１４１がその縁部を形成するが、上記第１リング１３９、１４１の直径は第２リング１４１′の直径より小さいので、相対的に小さな植物を植栽する時に使用する。相対的に大きい植物を植栽する場合には、上記第１リング１４１を連結バー１４３を切断することにより除去して、第２リング１４１′が第２植生孔１４０の縁部を形成するようにする。このようにすることで、全体的に相対的に大きい植物をポットに植栽できるようになる。
【０１２５】
上記ポット１００は、図１４に示すようなポット支持枠組２００の内部に取り付けられる。上記ポット１００の本体固定具１２０とカバー固定具１４６が隣接したポット１００のそれと共に上記ポット支持枠組２００にねじ１６２により締結されて固定される。この際、上記本体固定具１２０とカバー固定具１４６はポット１００の両端に備えられたものが互いに高さが異なって、隣接するポット１００の本体固定具１２０とカバー固定具１４６とは互いに重なるように置かれて、これによって上記ポット支持枠組２００にポット１００が取り付けられた時、前面、即ち上記カバー１３０が全体的に同一な平面上にあるようになる。
【０１２６】
そして、上記ポット支持枠組２００は開放された前面が垂直壁の前方に向けるように設置され、これに上記ポット１００が取り付けられて上記カバー１３０の植生孔１３８、１４０は垂直壁の前方に向けるようになって、これを通じて出た植物が垂直壁を緑化するようにする。
【０１２７】
上記ポット支持枠組２００に設置されたポット１００は、その上部、即ち上記潅水孔１１８が形成された部分が重力方向の上部に向けるようになる。このようにされることによって、ポット支持枠組２００を通過する管から供給を受けた水が上記潅水孔１１８を通じてポットの内部に入って植生土に伝達されることによって持続的に水が供給できるようになる。
【０１２８】
一方、図１６に２つのポットを同時に締結するに当たって、締結ブラケット１６４を使用するものが図示されている。即ち、上記ポット支持枠組２００に２つのポット１００を締結するに当たって、締結ブラケット１６４を使用する。上記締結ブラケット１６４は‘Ｕ’字形状の締結部１６６の両側に掛止板１６８が備えられて構成される。上記締結部１６６の中央を貫通してねじ１６２が通過し、上記ねじ１６２がポット支持枠組２００に締結されることによって上記掛止板１６８が両側のポットのカバー１３０の縁部に掛止される。このようになれば、ねじ１６２と締結ブラケット１６４が二重にポットを締結するので、ポットの締結状態がより固くなる。
【０１２９】
次に、図１７に図示された上記ポット支持枠組２００について説明する。上記ポット支持枠組２００は、垂直壁に垂直方向に多数個が対を成して設置される取付レールの間に挿入されて設置される。上記取付レールは、垂直壁に高さ方向に多数個の列を成して配置され、上記取付レールの間にポット支持枠組２００が順次に設置されて垂直壁の全体にポット支持枠組２００が設置される。上記ポット支持枠組２００は、その支持枠組胴体２１０の両端が各々上記取付レールに掛止されて設置される。このようになれば、上記支持枠組胴体２１０の内部が垂直壁の前方に向けて開放されて位置する。
【０１３０】
上記支持枠組胴体２１０の水管通過部２２２とポット安着部２３０には、各々水管（図示せず）とポット２０、１００が設置される。上記水管通過部２２２には水管の他にも光ファイバーや照明のための配線などを設置することができる。
【０１３１】
上記ポット２０、１００は、上記支持枠組胴体２１０のポット安着部２３０にその４隅が上記安着台２３２の安着面２３３に安着する。したがって、上記ポット２０、１００はその４隅が安着台２３２の安着面２３３に位置して固定されて任意に流動できなくなる。
【０１３２】
上記ポット２０、１００の内部には植生土があり、上記植生土に植物が植えられているので上記ポット２０、１００が上記ポット安着部２３０に設置された状態で上記植物が育つようになれば、垂直壁の緑化がなされる。
【０１３３】
上記ポット２０、１００が上記支持枠組胴体２１０のポット安着部２３０に設置された状態で上記ポット２０、１００の背面と上記ポット安着部２３０の内面との間には所定の間隔が形成される。これは、上記ポット２０、１００の４隅が上記安着台２３２の安着面２３３に安着し、上記隙間リブ２３４の上に安着するためである。
【０１３４】
したがって、上記ポット２０、１００と支持枠組胴体２１０の底板２１２との間には所定の隙間が形成される。上記隙間には空気が詰められて夏季には通気性を確保してポット２０、１００にある植物の生育を良好にする。上記隙間に備えられた空気は冬季には保温性を高めて、上記ポット２０、１００にある植物の根が冷害に見舞われないようにする。そして、上記隙間は上記ポット２０、１００が植物空気清浄器で使用する時はポット２０の後方で空気が流動する経路を形成することもできる。
【０１３５】
そして、上記ポット２０、１００と底板２１２との間の隙間は水が多過ぎるように供給された時、排水がより円滑になるようにする役割をする。即ち、上記ポット２０、１００と底板２１２との間の隙間、上記リブ開口部２３４′、そしてまた上記ポット２０、１００と底板２１２との間の隙間、そして上記下側壁２１６の下部開口部２１６′を通じて水が流動して下部に排出できるようにする。
【０１３６】
一方、上記水平区画壁２２０の潅水開口部２２０′を通じては上記水管通過部２２２を通過する水管から伝えられる水が通過されて上記ポット２０、１００に供給されるようにする。参考に、上記水管は上記管用開口部２２２′を通じて隣接する支持枠組胴体２１０に延びる。
【０１３７】
上記ポット２０、１００が上記ポット安着部２３０に全て安着した状態で時間が経過して上記ポット２０、１００にある植物が育つようになれば、緑化がなされる。このために、上記ポット２０、１００に持続的に水を供給する。即ち、上記水管を通じて供給された水は上記水管通過部２２２で上記潅水開口部２２０′を通じてポット２０、１００に伝えられる。上記ポット２０、１００に伝えられた水は植物の生育のために使われる。
【０１３８】
次に、上記ポット２０、１００のうち、いずれか１つの植物が正しく育たなかったり、ポット２０、１００の一部が損傷されれば、問題のあるポット２０、１０００のみを分離して取り替えることができる。これは、上記締結ボス２３６に締結されたねじを分離し、該当するポット２０、１００を取り出して、他のポット２０、１００を取り付けてねじにより締結ボス２３６に締結すればよい。
【０１３９】
本発明の権利範囲は、前述した実施形態に限定されず、請求範囲に記載されたことにより定義され、本発明の技術分野で通常の知識を有する者が請求範囲に記載された権利範囲内で多様な変形と改作を行うことができることは自明である。
【０１４０】
例えば、図示された実施形態では上記微生物シート５９が上記支持筒体５２の外面を囲んで設置されると記載されているが、上記支持筒体５２の内面を囲んで設置されることもできる。
【０１４１】
そして、上記本体１１０の形状は必ず平たい六面体形状である必要はない。上記本体１１０は多様な形状に作られることもできる。
【０１４２】
そして、上記ポット１００の両側に各々形成される本体固定具１２０とカバー固定具１４６の結合片１２４、１５０の高さが必ず相異する必要はなく、同一な高さであるが、互いに異なる位置にいて各々が別途にポット支持枠組に結合されるようにすることもできる。しかしながら、このようにする場合、必要なねじ１６２の個数が多くなり、工数が多くなる問題がある。
【０１４３】
また、上記水管通過部２２２が必ず上記水平区画壁２２０と上側壁２１４との間に形成されなければならないものではない。上記上側壁２１４の上部に該当する位置に管が通過できる構成を作っても関係なく、上記水管通過部２２２を別途に形成しなくてポット２０、１００の間間に管を通過させるようにすることもできる。
【産業上の利用可能性】
【０１４４】
本発明による垂直壁用ポット、マルチフィルタ、及びポット支持枠組は、建物の外壁のような垂直壁を緑化することに使用できるだけでなく、建物の内部で植物を使用して空気を浄化する植物空気清浄器を構成して建物の内部の緑化及び空気清浄を遂行することができる。
【図１】
2013544096.tif 000003
【図２】
2013544096.tif 000004
【図３】
2013544096.tif 000005
【図４】
2013544096.tif 000006
【図５】
2013544096.tif 000007
【図６】
2013544096.tif 000008
【図７】
2013544096.tif 000009
【図８】
2013544096.tif 000010
【図９】
2013544096.tif 000011
【図１０】
2013544096.tif 000012
【図１１】
2013544096.tif 000013
【図１２】
2013544096.tif 000014
【図１３】
2013544096.tif 000015
【図１４】
2013544096.tif 000016
【図１５】
2013544096.tif 000017
【図１６】
2013544096.tif 000018
【図１７】
2013544096.tif 000019
【図１８】
2013544096.tif 000020
【図１９】
2013544096.tif 000021
【図２０】
2013544096.tif 000022
【図２１】
2013544096.tif 000023
【国際調査報告】
2013544096.tif 000024
2013544096.tif 000025
2013544096.tif 000026
2013544096.tif 000027
2013544096.tif 000028
2013544096.tif 000029